【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
縦横ソート機能を有する印刷装置であって、
用紙を供給する複数の給紙口と、
前記縦横ソート機能を有効にする旨のユーザー要求を取得する取得部と、
印刷条件の設定値を記憶する記憶部と、
前記縦横ソート機能を有効又は無効に設定する設定部と、を備え、
前記設定部は、前記取得部が前記ユーザー要求を取得したとき、前記複数の給紙口に、横方向に供給される所定サイズの第１用紙と、縦方向に供給される前記所定サイズの第２用紙と、がセットされ、かつ、前記記憶部に記憶される前記印刷条件の設定値に含まれる給紙口の設定値が自動選択に設定されている場合に、前記縦横ソート機能を有効に設定する
ことを特徴とする印刷装置。
【請求項２】
請求項１において、
前記設定部は、前記取得部が前記ユーザー要求を取得したとき、前記複数の給紙口に前記第１用紙及び前記第２用紙のいずれかがセットされていない場合、前記縦横ソート機能を有効に設定しない
ことを特徴とする印刷装置。
【請求項３】
請求項１または２において、
前記複数の給紙口に前記第１用紙と前記第２用紙がセットされている場合に、
前記設定部は、前記印刷条件の設定値に含まれる前記給紙口の設定値が自動選択に設定されていない場合、前記給紙口の設定値を自動選択に変更して、前記縦横ソート機能を有効に設定する
ことを特徴とする印刷装置。
【請求項４】
請求項１乃至３のいずれか１項において、
原稿を読み取るスキャナーを有し、
前記複数の給紙口に前記第１用紙と前記第２用紙がセットされている場合に、
前記設定部は、前記原稿のサイズが前記所定サイズであり、前記印刷条件の設定値に含まれる印刷倍率の設定値が等倍に設定されている場合、前記縦横ソート機能を有効に設定し、前記原稿のサイズが前記所定サイズであり、前記印刷倍率の設定値が等倍に設定されていない場合、前記印刷倍率の設定値を等倍に変更して、前記縦横ソート機能を有効に設定する
ことを特徴とする印刷装置。
【請求項５】
請求項１乃至３のいずれか１項において、
原稿を読み取るスキャナーを有し、
前記複数の給紙口に前記第１用紙と前記第２用紙がセットされている場合に、
前記設定部は、前記原稿のサイズが前記所定サイズでなく、前記印刷条件の設定値に含まれる印刷倍率の設定値が倍率自動に設定されている場合、前記縦横ソート機能を有効に設定し、前記原稿のサイズが前記所定サイズでなく、前記印刷倍率の設定値が倍率自動に設定されていない場合、前記印刷倍率の設定値を倍率自動に変更して、前記縦横ソート機能を有効に設定する
ことを特徴とする印刷装置。
【請求項６】
請求項１乃至５のいずれか１項において、
更に、フェイスダウン排紙口を含む複数の排紙口を備え、
前記複数の給紙口に前記第１用紙と前記第２用紙がセットされている場合に、
前記設定部は、前記印刷条件の設定値に含まれる前記排紙口の設定値が前記フェイスダウン排紙口に設定されている場合、前記縦横ソート機能を有効に設定し、前記排紙口の設定値が前記フェイスダウン排紙口に設定されていない場合、前記排紙口の設定値を前記フェイスダウン排紙口に変更して、前記縦横ソート機能を有効に設定する
ことを特徴とする印刷装置。
【請求項７】
請求項１乃至６のいずれか１項において、
前記記憶部は、ユーザーへの報知情報を記憶し、
前記設定部は、前記印刷条件の設定値を変更した場合に、その旨を前記報知情報として前記記憶部に記憶する
ことを特徴とする印刷装置。
【請求項８】
請求項７において、
前記設定部は、前記記憶部に記憶された前記報知情報を前記ユーザーへ報知する
ことを特徴とする印刷装置。
【請求項９】
請求項１乃至８のいずれか１項において、
前記所定サイズは、第１サイズと第２サイズを含み、前記複数の給紙口に、前記第１サイズの前記第１用紙及び前記第２用紙と、前記第２サイズの前記第１用紙及び前記第２用紙がセットされている場合に、
前記縦横ソート機能を使用する際、印刷対象のデジタルデータのサイズに基づいて前記第１サイズ及び前記第２サイズのいずれかに決定される
ことを特徴とする印刷装置。
【請求項１０】
請求項１乃至９のいずれか１項において、
前記縦横ソート機能が有効とされた印刷部数が奇数である第1の印刷ジョブと前記第1の印刷ジョブの次に印刷が行われる第2の印刷ジョブの印刷が未実施の場合に、前記第２の印刷ジョブの１部目の印刷には、前記第１の印刷ジョブの１部目の印刷に用いられた前記給紙口と給紙方向が異なる前記給紙口が用いられるように設定が変更される
ことを特徴とする印刷装置。
【請求項１１】
請求項１０において、
前記設定の変更は、前記第１の印刷ジョブと前記第２の印刷ジョブのユーザーが異なる場合に行われる
ことを特徴とする印刷装置。
【請求項１２】
請求項１乃至１１のいずれか１項において、
更に、インクジェット方式のラインヘッドを備え、
前記設定部は、前記ラインヘッドの端部のうち、少なくとも一方の端部のノズルからインクが吐出されない場合に、前記縦横ソート機能を有効に設定しない
ことを特徴とする印刷装置。
【請求項１３】
縦横ソート機能を有し、用紙を供給する複数の給紙口と、印刷条件の設定値を記憶する記憶部と、前記縦横ソート機能を有効にする旨のユーザー要求を取得する取得部と、を備える印刷装置の制御方法であって、
前記取得部が前記ユーザー要求を取得したとき、前記複数の給紙口に、横方向に供給される所定サイズの第１用紙と、縦方向に供給される前記所定サイズの第２用紙と、がセットされ、前記記憶部に記憶される前記印刷条件の設定値に含まれる前記給紙口の設定値が自動選択に設定されている場合に、前記縦横ソート機能を有効に設定する
ことを特徴とする制御方法。
【請求項１４】
縦横ソート機能を有する印刷装置で処理される、印刷条件を含む印刷データを生成する情報処理装置であって、
ユーザー指示に基づいて設定された前記印刷条件の設定値を記憶する決定部と、
前記縦横ソート機能の有効と無効を設定する設定部と、を備え、
前記設定部は、前記設定部が前記縦横ソート機能を有効にする旨の前記ユーザー指示を取得したとき、前記決定部により前記印刷条件の設定値に含まれる用紙サイズの条件が予め定められた所定サイズに設定され、前記印刷条件の設定値に含まれる前記印刷装置の給紙口選択の条件が自動選択に設定されていることを前記設定部が確認した場合に、前記設定部は前記縦横ソート機能を有効に設定する
ことを特徴とする情報処理装置。
【請求項１５】
請求項１４において、
前記決定部により設定された前記用紙サイズの条件が前記所定サイズでない場合に、前記設定部は、前記用紙サイズの条件を前記所定サイズに設定した後に、前記縦横ソート機能を有効に設定する
ことを特徴とする情報処理装置。
【請求項１６】
請求項１５において、
前記設定部は、前記用紙サイズの条件を前記所定サイズに設定した旨を報知情報として記憶し、所定のタイミングで当該報知情報をユーザーに報知する
ことを特徴とする情報処理装置。
【請求項１７】
縦横ソート機能を有する印刷装置で処理される、印刷条件を含む印刷データの情報処理方法であって、
前記縦横ソート機能を有効にする旨のユーザー指示を取得したときに、前記印刷条件に含まれる用紙サイズの条件が予め定められた所定サイズに設定され、前記印刷条件に含まれる前記印刷装置の給紙口選択の条件が自動選択に設定されている場合には、前記縦横ソート機能の条件を有効に設定する
ことを特徴とする情報処理方法。
【請求項１８】
縦横ソート機能を有する印刷装置で処理される、印刷条件を含む印刷データの生成処理をコンピューターに実行させる情報処理用プログラムであって、
前記縦横ソート機能を有効にする旨のユーザー指示を取得したときに、前記印刷条件に含まれる用紙サイズの条件が予め定められた所定サイズに設定され、前記印刷条件に含まれる前記印刷装置の給紙口選択の条件が自動選択に設定されている場合には、前記縦横ソート機能の条件を有効に設定する処理を前記コンピューターに実行させる
ことを特徴とする情報処理用プログラム。